(57)【要約】【課題】注射器ケーシング２と、ケーシング２内にあり一回量の液体を保持する液室４を区画する注射器本体３を含む注射器１。【解決手段】注射器本体３はケーシングに対し制御可能に移動し得る。中空の針１３が注射器本体３と移動するよう連結され、注射器１使用のためケーシング２から外に延びる。プランジャー１４は、針１３を通じて本体の液室４内に液体を引き入れ、及び／または、本体液室４から液体を排出するため本体３内を往復移動し得る。制御手段２は注射器１が針を通じて一回量の液体を引き入れ及び／または排出できるようにし、ケーシング２に対する注射器本体３と針１３の移動が注射器１を使用不可能にする。
2006523107.tif 000002
【特許請求の範囲】
【請求項１】
注射器のケーシング、
前記ケーシング内にあって一回量の液体を保持するための液室を区画し、前記ケーシングに対して制御可能に移動出来る注射器本体、
前記注射器本体と共に移動するように前記注射器本体に連結され、前記注射器の使用を目的として前記ケーシングから延びている中空の針、
前記針を通じて前記本体液室内に液体を引き入れ、及び／または、前記本体液室から液体を排出するために前記本体内を往復移動可能なプランジャー、及び
前記針を通じて前記注射器が一回量の液体を引き入れ、及び／または、排出することを可能にする制御手段であって、前記ケーシングに対する前記注射器本体と針との移動によって前記注射器を使用不能にする制御手段を含む注射器。
【請求項２】
請求項１に記載の注射器であって、前記注射器本体は、前記注射器が一回量の液体を引き入れ及び／または排出することができる位置から前記注射器が使用不能にされて注射器の使用をさせないようにした位置まで、前記ケーシングに対して制御可能に移動することが出来、また前記制御手段は、前記使用可能位置から使用不可能位置への前記本体の制御された移動を遂行する注射器。
【請求項３】
請求項２に記載の注射器であって、前記注射器本体は、前記使用可能位置から使用不能になるように前記注射器が配置される使用不能化位置へ、次いで、前記使用不能化位置から前記使用不可能位置へ制御可能に移動することが出来、また、前記制御手段は、前記使用不能化位置を通る前記本体の制御可能な移動を遂行する注射器。
【請求項４】
請求項２または３に記載の注射器であって、前記注射器のケーシング及び本体はそれぞれ細長く、かつ、前記注射器本体は前記注射器のケーシング内で軸方向に及び回転して滑動可能で、前記注射器本体は前記使用可能位置から前記使用不可能位置へ滑動する注射器。
【請求項５】
請求項２から４のいずれか一つに記載の注射器であって、前記注射器本体は、前記使用不可能位置へ向かって軸方向に滑動可能で、前記使用不可能位置への前記注射器本体の滑動により前記針を前記ケーシングに引き込み、それによって前記注射器を使用不能にする注射器。
【請求項６】
請求項２から５のいずれか一つに記載の注射器であって、前記制御手段は、前記注射器のケーシングに設けられた少なくとも一つの制御部材と、前記注射器本体に設けられた少なくとも一つの制御部材と、を含み、前記注射器のケーシングと前記本体の前記制御部材とが、注射器の使用中、互いに係合して前記本体の制御された移動を遂行する注射器。
【請求項７】
請求項６に記載の注射器であって、前記制御部材は、少なくとも一つの制御カム及び少なくとも一つのカム従動子を含み、前記カムとカム従動子が互いに係合して前記本体の制御された移動を遂行する注射器。
【請求項８】
請求項７に記載の注射器であって、前記カムは前記本体に設置され、また、前記カム従動子は前記ケーシングに設置される注射器。
【請求項９】
請求項７または８に記載の注射器であって、前記カム従動子は従動子ピンである注射器。
【請求項１０】
請求項７から９のいずれか一つに記載の注射器であって、前記制御カムは細長く、前記カム従動子による係合が有効なようにそれに沿って延びる少なくとも一つの輪郭を持ったカム作用表面を持つ注射器。
【請求項１１】
請求項９に従属する請求項１０に記載の注射器であって、前記制御カムはカム従動子ピンを受け入れるためのカム作用溝または溝穴を含み、前記カム従動子ピンは前記カム作用溝または溝穴に沿って累進的に移動し、前記カム作用表面の輪郭に応じて前記注射器本体とケーシングと間の相関移動を引き起こす注射器。
【請求項１２】
請求項７から１１のいずれか一つに記載の注射器であって、単一のカム従動子が備えられ、前記単一のカム従動子は前記注射器のケーシングの内表面に設置されて概ねそこから内方に向かって延びている注射器。
【請求項１３】
請求項１２に記載の注射器であって、単一の制御カムが備えられ、前記単一の制御カムは前記注射器本体の外表面に設置され、前記単一のカム従動子と係合する間、従動子に対面する注射器。
【請求項１４】
請求項７または１３のいずれか一つに記載の注射器であって、前記制御カムはそれに沿って間隔をあけて配置されたカム作用段を含み、各段はそれぞれカム作用表面を持ち、その表面によって前記カム従動子は順次移動し、各カム作用段を通じて前記ケーシングに対する前記注射器本体の指示された移動を引き起こす注射器。
【請求項１５】
請求項１４に記載の注射器であって、前記カム作用段は、
ａ．  一回量引き入れカム作用段であって、その間で一回量の液体が前記本体の液室に引き入れられるもの、
ｂ．  空気排出カム作用段であって、その間で空気が前記針から排出されるもの、
ｃ．  採血カム作用段であって、その間で血液が静脈から前記針内に採取されるもの、及び、
ｄ．  一回量排出カム作用段であって、その間で一回量の液体が前記本体の液室から排出されるもの、の一つ以上を含み、
各カム作用段の間のプランジャーの移動が、強制的に前記従動子をそれぞれのカム作用表面と係合させては順に次の表面に移動させ、それによって前記注射器本体を、前記注射器のケーシングに対して回転滑動させる注射器。
【請求項１６】
請求項１５に記載の注射器であって、前記カム作用段は、それらが備えられている場合、前記制御カムに沿って、
ａ．  一回量引き入れカム作用段、
ｂ．  空気排出カム作用段、
ｃ．  採血カム作用段、及び
ｄ．  一回量排出カム作用段
の順に配置されている注射器。
【請求項１７】
請求項１４または１６のいずれか一つに記載の注射器であって、前記制御カムは、前のカム作用段での前記カム従動子の移動を終了させ前記カム従動子を次のカム作用段へ向けるためにカム作用段のそれぞれの末端に隣接する戻り止め段を含む注射器。
【請求項１８】
請求項１７に記載の注射器であって、各戻り止め段はそれぞれのカム作用表面を持ち、これら戻り止め段におけるカム作用表面は、先行するカム作用段におけるカム作用表面に対してある角度で曲がっていて、前記カム従動子の移動方向を変え、各カム作用段を通じて前記注射器本体の指示された移動を引き起こす注射器。
【請求項１９】
請求項２に従属する請求項１４から１８のいずれか一つに記載の注射器であって、前記制御カムは使用不能化カム作用段を含み、この段の間で、前記カム従動子とカムは係合を解いて前記注射器本体は使用不可能位置に移動する注射器。
【請求項２０】
請求項１０またはそれに従属するいずれかの請求項に従属する請求項１９に記載の注射器であって、前記カム作用溝または溝穴が開放末端を有し、それを通じて前記従動子ピンが移動して前記カム作用溝または溝穴から出て、前記使用不可能位置に向かって前記注射器のケーシングに対して長手方向に滑動してそれにより前記針を前記ケーシングに引き込む前記注射器本体を解放する注射器。
【請求項２１】
請求項１９または２０に記載の注射器であって、前記注射器本体に作用して、前記使用不能化位置にある前記本体を前記使用不可能位置に向けて滑るように動かす付勢手段を含む注射器。
【請求項２２】
請求項２１に記載の注射器であって、前記付勢手段が前記注射器のケーシングと本体の間に作用する弾力のある付勢バネを含み、前記本体を前記ケーシングに沿って使用不可能位置へ付勢する注射器。
【請求項２３】
請求項１４から２２のいずれか一つに記載の注射器であって、前記注射器本体は、前記針が前記ケーシング内に引き込められて収納されている可用化位置から前記使用可能位置へ移動可能であり、また、前記制御カムは可用化カム作用段を含み、前記注射器本体の使用可能位置への移動が、前記カム従動子が前記カムと係合して前記可用化カム作用段のカム作用表面での移動を引き起こし、前記注射器本体は前記ケーシングに沿って滑動して前記注射器の使用のために前記針を前記ケーシングから突出させる注射器。
【請求項２４】
請求項１１またはそれに従属するいずれかの請求項に従属する請求項２３に記載の注射器であって、前記カム作用溝または溝穴が開口末端を有し、それを通じて前記カム従動子のピンが移動して前記カム作用溝または溝穴に入って、前記可用化カム作用段のカム作用表面と係合する注射器。
【請求項２５】
請求項１１またはそれに従属するいずれかの請求項に記載の注射器であって、前記カム作用溝または溝穴は概ねジグザグ形態をしており、前記制御カムの前記カム作用及び戻り止め段が前記カム作用溝または溝穴の頂点の反対側に配置されている注射器。
【請求項２６】
請求項２から２５のいずれか一つに記載の注射器であって、前記注射器のケーシングは連通穴を含み、それを通じて前記針が前記注射器の使用中に外に延び、前記連通穴は、前記針から分かれていて、前記針が前記ケーシング内に使用不可能位置まで引き入れられる場合、引き入れられた前記針は前記連通穴とずれて前記針が前記ケーシングから再び延出することを阻止する注射器。
【請求項２７】
請求項２から２６のいずれか一つに記載の注射器であって、使用不可能位置にある場合、前記本体に作用して前記ケーシングに対するその爾後の移動を阻止する固定手段を含む注射器。
【請求項２８】
請求項２７に記載の注射器であって、前記固定手段は、前記注射器の本体及びケーシングそれぞれに設けられる少なくとも一つの固定要素を含み、前記固定要素は、前記注射器本体が前記使用不可能位置に移動する場合、互いに係合して前記注射器本体のさらなる移動を阻止する注射器。
【請求項２９】
付帯図に示されている注射器を参照して実質的に前文に記載された注射器。
【発明の詳細な説明】
【技術分野】
【０００１】
本発明は再使用不可能なタイプの皮下注射器に関する。本注射器は液状の医薬、製剤、薬物及びその他の溶液のヒト体内への投与に適用し得るものであり、便宜のため、本発明を以下、その具体的適用に関連して開示する。しかしながら、当然のことながら、本発明はその応用に限定されるものではない。その点に関し、本注射器はまた、分析用にヒトの体から血液試料、または他の液体を採取することにも適用可能である。
【背景技術】
【０００２】
本発明に対する背景についての以下の論議は、本発明の理解の便宜を計ることを意図するものである。しかし、当然のことながら、本論議は、如何なる引用資料も本出願の優先期日にオーストラリアで公表され、既知であり、共通一般の知見であったことを承認或いは容認するものではない。
【０００３】
注射器の再使用はヒトにおける感染の重大な原因である。その上、病気は注射器を共用する間にヒトの間で比較的容易に伝播し得る。使用済みの注射器は、また、使用後に中空の針を不適切にむき出しで放棄する場合、怪我と病気伝播の可能性の根源でもある。
【０００４】
これらの健康上の諸問題を軽減するために、一度使用した後は、作動不能で且つ比較的危険のないようにし得る注射器が開発されている。このような処置のひとつにおいては、針は、使用後、プランジャーによって注射器の筒状本体内に引き込められ、本体は次いで針を保護収納する。さらに、針が本体から再延出することを阻止する仕組みが備えられていて注射器は使いものにならず危険でないようにされる。
【０００５】
このような仕組みのひとつは、プランジャーの更なる移動を阻止するために、プランジャーの柄を固定、及び／または破壊するものである。別の仕組みは、本体の前端に設けられ当初は針が本体から延出する穴から針を軸方向にずらすことが含まれる。このような方法では、針が注射器本体内に引き込められた場合、針と穴とは軸がずれて針が穴を通ってもどることを阻止する。
【０００６】
これらの注射器は、それらの再三の使用の使用、及び安全な投棄の達成にも有効であり得る。しかしながら、これらの注射器の多くに伴う一つの不都合な点は、それらが改ざん防止式ではないことである。それらの注射器は、一回使用した後に注射器を作動不能で安全にするために、使用者側の積極的な行為が必要である。そうした行為がない場合、または誤用は、注射器の反復使用を可能にする。その上、不注意な投棄は、中空の針を怪我や病気の潜在的可能性を持ったままむき出しで放置することを許容する。
【０００７】
オーストラリア特許第７３１１５９号及び特許出願第２００１２５２０１９号は、他の注射針引込み式で一回限定使用の注射器を開示している。これらの注射器は重複使用を阻止して、安全な投棄を可能にするのに有効であり得る。しかしながら、注射器を使用不可能にする手段が複雑であるために、他の注射器に比べて製造費が高くなっている。
【発明の開示】
【発明が解決しようとする課題】
【０００８】
本発明の目的は、誤用及び乱用されにくい注射器を提供することにある。
【０００９】
本発明の目的は、効果的に再使用を阻止する注射器を提供することにある。
【００１０】
本発明の目的は、一回使用した後に自動的に危険をなくすことができる注射器を提供することにある。
【００１１】
本発明のなおさらなる目的は、構造がより簡単で製造費がより安いにも拘わらず誤用と乱用を防ぐ効果を維持した注射器を提供することにある。
【課題を解決するための手段】
【００１２】
広義には、本発明は、
注射器のケーシング、
ケーシング内にあって一回量の液体を保持するための液室を区画し、ケーシングに対して制御可能に移動出来る注射器本体、
注射器本体と共に移動するように注射器本体に連結され、注射器の使用を目的としてケーシングから延びている中空の針、
針を通じて本体液室内に液体を引き入れ、及び／または、本体液室から液体を排出するために本体内を往復移動可能なプランジャー、及び
針を通じて注射器が一回量の液体を引き入れ、及び／または、排出することを可能にする制御手段であって、ケーシングに対する注射器本体と注射針との移動によって注射器を使用不能にする制御手段を含む注射器を提供する。
【００１３】
好適には、注射器本体は、ケーシングに対して、注射器が一回量の液体を引き入れ、及び／または排出することができる位置から注射器が使用不能にされて注射器の使用をさせないようにした位置まで制御可能に移動し得る。制御手段は、好ましくは、使用可能位置から使用不可能位置までの本体の制御された移動を遂行する。一つの好適な形態において、注射器本体は使用可能位置から使用不能になるように前記注射器が配置される使用不能化位置まで、次いで、使用不能化位置から使用不可能位置まで制御可能に移動し得る。この形態においては、制御手段は、使用不能化位置を通って本体の制御された移動を遂行する。
【００１４】
注射器のケーシングと本体とはそれぞれ細長く、注射器本体は注射器のケーシング内で軸方向に及び回転して滑動することが出来る。注射器本体は、好ましくは使用可能位置から使用不能位置まで滑動する。好適には、注射器本体は軸方向に使用不能位置内に滑動することが出来、注射器本体の使用不能位置への滑動によって、針をケーシング内に引き込んで注射器を使用不能にする。
【００１５】
好適には、制御手段は、注射器のケーシングに設けられた少なくとも一つの制御部材と、注射器の本体に設けられた少なくとも一つの制御部材と、を注射器本体上に含む。注射器のケーシング及び本体のそれらの制御部材は、好ましくは、注射器使用中に相互に係合して本体の制御された移動を遂行する。一つの好適な形態において、制御部材は少なくとも一つの制御カムと少なくとも一つのカム従動子とを含み、カムとカム従動子は相互に係合して本体の制御された移動を遂行する。この形式において、カムは本体に設置され、カム従動子はケーシングに設置されてもよい。
【００１６】
好適には、カム従動子は従動子ピンである。
【００１７】
好適には、制御カムは細長く、カム従動子による係合が有効なように延びる少なくとも一つの輪郭がかたどられたカム作用をする表面を持つ。一つの好適な形態において、制御カムはカム従動子ピンを受け入れるためのカム作用溝または溝穴を含む。この形態においては、カム従動子ピンは、カム作用表面の輪郭に応じてカム作用溝または溝穴に沿って漸進的に移動して注射器本体とケーシングとの間の相関移動を引き起こす。
【００１８】
好適には、制御カムはそれに沿って間隔をあけて配置されたカム作用段を含み、各段はそれぞれカム作用表面を持ち、その表面によってカム従動子はそれを順次乗り越えて移動し、各カム作用段を通じてケーシングに対する注射器本体の指示された移動を引き起こす。
【００１９】
好適には、カム作用段は、
ａ）  一回量引き入れのカム作用段であって、その間で一回量の液体が本体の液室内に引き入れられるもの、
ｂ）  空気排出カム作用段であって、その間で空気が針から排出されるもの、
ｃ）  採血カム作用段であって、その間に血液が静脈から針内に採取されるもの、及び、
ｄ）  一回量排出カム作用段であって、その間に一回量の液体が本体の液室から排出されるもの、の一つ以上を含む。
【００２０】
各カム作用段の間でのプランジャーの動きは、好ましくはカム従動子を強制的にそれぞれのカム作用表面と係合させて、その上を移動させ、それによって、注射器本体が注射器のケーシングに対して回転しながら滑動出来るようにすることが好ましい。一つの好適な形式において、カム作用段は、制御カムに沿って上記のａ、ｂ、ｃ及びｄの順序で備えられる。
【００２１】
好適には、制御カムは、カム従動子の前のカム作用段を越える移動を終了させカム従動子を次のカム作用段階へ向けるために、各カム作用段のそれぞれの末端に隣接する戻り止め段を含む。各戻り止め段はそれぞれのカム作用表面を有することが好ましい。それらのカム作用表面は、その前のカム作用段におけるカム作用表面に対してある角度で曲がっていて、カム従動子の移動方向を切り替え、各カム作用段を通して注射器本体の指示された移動を引き起こすようにする。
【００２２】
好適には、制御カムは使用不能化カム作用段を含み、この段の間で、カム従動子とカムは係合を解いて注射器本体は使用不可能位置に移動する。カム作用溝または溝穴は、開放末端を持つことが好ましく、それを通して、従動子ピンが移動してカム作用溝または溝穴から出て、使用不可能な位置まで注射器のケーシングに対して長手方向に滑動して針をケーシング内に引き入れる注射器本体を解放する。
【００２３】
好適には、注射器は、注射器本体に作用して使用不能化位置にある本体を使用不可能位置に滑らせ移動させる付勢手段を含む。好適な一形式において、付勢手段は注射器のケーシングと本体との間に作用する弾力のある付勢バネを含み、本体をケーシングに沿って使用不可能位置へと付勢る。
【００２４】
好適には、注射器本体は、針がケーシング内に引き入れられて収納された可用化位置から使用可能位置へ移動し得る。制御カムは、可用化カム作用段を含み、注射器本体が使用可能位置へ移動すると、カム従動子がカムと係合して、可用化カム作用段のカム作用表面での移動を引き起こすことが好ましい。注射器本体の移動によって注射器の使用のために針はケーシングから突出する。好適には、カム作用溝または溝穴は開口末端を持ち、それを通じてカム従動子のピンが移動してカム作用溝または溝穴に入り、可用化カム作用段のカム作用表面と係合する。
【００２５】
一配置において、注射器ケーシングは、注射器の使用中に、針が通って延びる連通穴を含む。その連通穴は、針から分かれていて、針がケーシング内に使用不可能位置まで引き入れられる場合、引き入れられた針は連通穴とはずれているので、針がケーシングから再び延出することを阻止する。
【００２６】
もう一つの配置においては、固定手段が設けられて、使用不可能位置にある場合、本体に作用してケーシングに対するその爾後の移動を防止する。
【００２７】
以下の記述は、本発明の注射器の実施の形態に言及するものである。本発明の理解を容易にするために、記述中で、上記注射器がその実施の形態において図示されている付随図面に言及する。当然のことながら、注射器は以下に記述され、また、図面に示されているような実施の形態に限定されるものではない。
【発明を実施するための最良の形態】
【００２８】
初めに図１を参照すると、細長い注射器のケーシング２と、ケーシング２内に配置された細長い注射器本体３とを有する注射器１が全般的に示されている。本体３は、一回量の液体を保持するための液室４を画している。例示する用途では、一回量の液体はヒト体内に投与されるための医薬、薬剤或いは他の溶液、または人体から採取された血液試料である。
【００２９】
ケーシング２は、断面形状がそれぞれ符号５、６で示す内表面と外表面を有する円筒状である。ケーシング２は、また、それぞれ符号７、８で示す対向した前端及び後端を有する。
【００３０】
注射器のケーシング２は少なくとも各末端７、８において実質的に閉鎖されている。特に、ケーシング２は連通口９，１０以外の各末端において密閉されており、その目的は以下でさらに明瞭になる。
【００３１】
注射器本体３もまた細長く、それぞれ符号１１、１２で示す対向した前端と後端を有する。本体３は、ケーシング２内にあってそれに沿って延びており、それに沿って移動する。図に示されているように、ケーシング２と本体３とは、それらの前端７、１１でもって同一方向に、また、後端８、１２で反対向きの同一方向に向けられている。
【００３２】
注射器本体３は、注射器が使用可能にされた位置から注射器が使用不可能にされた位置まで制御可能に移動することが出来る。使用可能位置において、（図４から６に示されるように）本体３はケーシング２の前端７に向かって配置され、一方、使用不可能位置においては（図８に示されるように）、本体３はケーシング２の前端７からずっと離れて配置されている。使用可能位置において、本体３はその前端１１をケーシング２の前端７に近づけて配置される。使用不可能位置においては、注射器本体３はその前端１１がケーシング２の前端７との間に隙間があるように配置されて、その後端１２はケーシング２の後端８に近接することもある。
【００３３】
使用可能位置から使用不可能位置への移動において、本体３は使用不能化位置を通って移動する。つまり、本体３は、使用可能位置から使用不能化位置へ、次いで使用不可能位置へ移動し得る。使用不能化位置において（図７に示されるように）、本体３は注射器１が使用禁止になるための位置にくる。
【００３４】
本体３は管状で、ケーシング２内を軸方向に滑動し得る。管状の本体３は、また、長軸Ｘのまわりをケーシング２に対して回転しながら滑動することが出来る。図示されているように、管状の本体３は断面の形が円管状であって、管状のケーシング２内に滑らかに適合して滑動する。本体３は、概ね、使用可能な位置から使用不可能化位置へ回りながら滑動することが出来、また、概ね、使用不可能化位置から使用不可能にされた位置へ軸方向に滑動することが出来る。
【００３５】
注射器１は、共に移動するために注射器本体３の前端１１に連結された中空の針１３を含む。針１３は、注射器を使用するためにケーシングから外に延びるように、ケーシング２の前端７における連通穴９を通り注射器本体３から前方に突出する。
【００３６】
針１３は液室４と連絡している。このような方法で、一回量の液体が中空の針１３を通じて液室４内に引き入れられ、その後、液室から針１３を通じて排出され得る。注射器１の意図された用途次第で、上記液体は、例えば、供給容器から引き入れられ、その後排出または皮下注射される注射可能な溶液、または、人体から皮下採血され、その後分析のために排出される血液であってよい。
【００３７】
管状の本体３は前端１１において密閉され、針１３は前端１１に固定されて針１３を本体３に恒久的に堅持し、また、針１３が液室４と連絡するようにする。
【００３８】
プランジャー１４は、針１３を通じて液室４内に液体を引き入れ、液体を液室４から排出するために注射器本体３内を往復移動することが出来る。プランジャー１４は、本体の液室４内で滑動し得るピストン１５と、ピストン１５から本体３およびケーシング２の後端１２、８を通って延びている作動柄１６を含む。柄１６は、ケーシング２の他方の密閉されている後端８における連通穴１０を通って延びている。
【００３９】
柄１６は横断面が円形ではなく、また、柄１６が通過する連通穴１０も同じ形の横断面を持っている。このような方法で、プランジャー１４は注射器本体３内を往復移動することが出来るが、注射器本体に対して回転することは阻止されている。
【００４０】
柄１６は手動で作動することが出来、ピストン１５を液室４内で動かして針を通して液体を引き入れ、かつ、排出する。柄１６の手動による作動を容易にするために、当業者によく理解されるような様式で、親指当て１７が柄１６の末端に備えられてもよく、また、一つ以上の突縁１８が後端８またはその近傍で注射器のケーシング２に設けられてもよい。
【００４１】
ピストン１５は外表面１９を持ち、これが管状の本体の内表面２０と液を漏らさぬ状態で組み合っている。このようにして、液体はピストン１５を通り越して漏れることなく、液室４内に引き入れられ、また液室４から排出され得る。密閉式の組み合わせは、ピストン１５、或いはその外表面１９を密閉性素材で形成するか、または、ピストン１５上に密閉リング２１のような密閉部材を一つ以上搭載することによって達成してもよい。密閉性素材または密閉部材はゴムで構成されてもよい。
【００４２】
制御手段２２は、注射器本体３の使用可能位置から使用不可能位置への移動を制御するために備えられている。制御手段２２は、少なくとも一つの制御部材２３を注射器のケーシング２に含み、また少なくとも一つの制御部材２３を注射器本体３に含んでいて、これらの制御部材２３は注射器の使用中に、互いに係合し、それによって本体の使用可能位置から使用不能化位置へ、次いで使用不可能位置への制御された移動を達成する。制御部材２３間の係合はまた、注射器１が使用可能である間（即ち、本体３が使用可能位置から使用不能化位置へと回転する間）はケーシング２と本体３とを相対的に長手方向の配置に維持するが、注射器１を使用不可能にするために本体を制御された状態で移動させる場合は解除され得る。その解除によって、本体３は軸方向に使用不能化位置から使用不可能位置へと移動し、中空の針１３をケーシング２に引き入れて注射器１を使用不可能にすることが可能になる。
【００４３】
制御部材２３は、少なくとも一つの制御カム２４と少なくとも一つのカム従動子２５とを含み、カム２４とカム従動子２５とは相互に係合して制御された移動を遂行する。
【００４４】
当該または各カム２４は本体３に設置され、また当該または各カム従動子２５はケーシング２に設置されているが、当然のことながらこれらの配置は逆にされてもかまわない。
【００４５】
本実施の形態に示されるように、単一の制御カム従動子２５が備えられ、その従動子２５はケーシング２の内表面５に設置され、そこから概ね内方に延びている。カム従動子２５はケーシング２の前端７に近接して設置されている。
【００４６】
カム従動子２５は従動子突起を含む。当該突起は、ケーシング２の内表面５に固定されていて、突起はそこから内方に突出している。好適な一形態において、当該突起は従動子ピン２６である。
【００４７】
本実施形態に示されているように、単一の制御カム２４が備えられている。そのカム２４は図２により詳細に示されていて、単一のカム従動子２５による作動的な係合のために少なくとも一つの輪郭を持ったカム作用表面２７を有する。制御カム２４は、本体３の外表面２８に備えられており、カム従動子２５と係合する間、それに面した関係にある。そのために、制御カム２４は本体３の前端１１に近接して設置されている。
【００４８】
制御カム２４は、カム従動子ピン２６を受け入れるためのカム作用溝または溝穴２９を含む。このように、カム作用溝または溝穴２９は、開口した上面３０と、互いに対向する側面とを備えており、その一つ或いは両方がカム作用表面２７を提供する。制御カム２４は、本体３の壁に入り込んで設定され、開口した上面３０は外表面２８にい位置する。カム作用溝２９（図示されているように）は閉鎖された底部３１を有するが、一方、カム作用溝穴（図示されていない）は開放底部を有する。この配置によって、係合の間、従動子ピン２６は開口した上面３０を通ってカム作用溝または溝穴２９内に延び、カム作用表面２７に接触して、本体３に力を加えて使用可能位置から使用不可能位置への本体３の制御された移動を引き起こす。
【００４９】
カム作用溝または溝穴２９は対向する末端３２と３３とを有し、この間は不連続である。少なくとも、一端３３は開いていて従動子２５とカム２４の係合の解除を可能にして注射器１を使用不可能にする。特に、図示されているように、末端３３は、開いており、従動子ピン２６がカム作用溝または溝穴２９から出て行くことを可能にして互いの係合を解除する。
【００５０】
図示されているように、カム作用溝または溝穴２９の両端３２と３３は開いていて、ピン２６は、カム作用溝または溝穴２９にそれぞれ入ったり出たりしてすることが出来て注射器本体３の移動を制御する。このようにして、ピン２６は、入り口末端３２においてカム作用溝または溝穴２９に入り、それに沿って漸進してカム作用表面２７の輪郭に対応して本体３とケーシング２間の相関移動を引き起こして出口末端３３から出て行く前に本体３を使用可能位置から使用不能化位置へと移動させ、注射器１を使用不可能にする。カム作用溝または溝穴に沿ったピン２６の移動は軌道Ｐ上にあって、入り口末端３２から出口末端３３への一方向である。
【００５１】
溝または溝穴２９の開放末端３２と３３は、本体３の前端１１まで開通している。
【００５２】
カム２４は、それに沿って、間隔をあけて設置された数個の段を有し、各段はそれぞれカム作用表面２７を持ち、従動子２５は、ケーシング２に対する注射器３の指示された移動のために逐次これと係合する。これらの段は、一回量の液体を最初に液室４内に引き入れる間に従動子２５が移動する段（一回量引き入れカム作用段３４）、及び、その一回量の液体を液室４から排出する間に従動子２５が移動するもう一つの段（一回量排出カム作用段階３５）を含む。
【００５３】
好適な一実施形態において、一回量引き入れカム作用段３４は、注射器本体３のケーシング２に対する実質的に長手方向への移動を阻止するが、従動子２５が相対的に一回量排出カム作用段２５の方向に移動するように本体３の回転は許容する。その移動の間に、プランジャー１４は本体３に対して引き込まれて、一回量の液体を液室４内に引き入れることが出来る。その移動は、図の図４に示されるように、プランジャー１４の最初の引き上げの間に起こって終了する。
【００５４】
本体３とケーシング２の相関移動を達成するために、一回量引き入れカム作用段３４におけるカム作用表面２７ａは、注射器１の長軸Ｘに対してある角度をなして延びる。このような方法で、従動子２５との係合は、本体３を強制的に長軸Ｘの周りを回転させる。
【００５５】
プランジャー１４の引き上げ移動が完了するまで、カム２４とカム従動子２５の上記カム作用段３４への相関移動を制限するために、制御カム２４はまた、一回量引き入れカム作用段３４の末端に隣接する戻り止め段３６も含む。戻り止め段３６は、一時的に、従動子２５のカム２４に沿っての継続移動を停止させる。カム従動子２５は、戻り止め段３６において、カム作用表面２７ｂに接してその更なる移動を停止する。
【００５６】
戻り止め段３６は、一回量引き入れカム作用段３４におけるカム作用表面２７ａに対してカム作用表面２７ｂの角度を逆にして備えられる。このような方法で、カム作用表面２７ａと２７ｂは、移動するカム従動子２５の受け入れと一時的静置に関与する角度を規定して、制御カム２４とカム従動子２５との間のさらなる相関移動を阻止する。
【００５７】
一回量排出カム作用段３５は、ケーシング２に対する注射器本体３の実質的に長手方向の移動を阻止するが、本体３の回転を許容する結果、カム従動子２５は、制御カム２４の出口末端３３の方に移動を続ける。この移動の間に、プランジャー１４は液室４から一回の液量を排出することが出来る。その移動は、プランジャーの最初の排出移動の間に起こって終了する。移動の終了によって、本体３は、図７に示されるように、使用不可能化位置に配置される。
【００５８】
上記の相関移動を達成するために、一回量排出カム作用段３５において、カム作用表面２７ｃは注射器１の長軸Ｘに対してある角度をなして延びている。このような方法で、カム従動子２５と係合すると、強制的に本体３を長軸Ｘの周りに回転させる。図２に示されているように、この段３５のカム作用表面２７ｃは、カム作用溝または溝穴２９の表面であって、一回量制御カム作用段階３４のカム作用表面２７ａを提供する側の表面と反対側にある。
【００５９】
一回量の排出が完結するまで、カム２４とカム従動子２５の上記のカム作用段３５への相関移動を制限するために、制御カム２４は、一回量排出カム作用段３５の末端に隣接するさらなる戻り止め段３７を含む。このさらなる戻り止め段３７は、カム従動子２５のカム２４に沿っての継続移動を一時的に停止させる。カム従動子２５は、戻り止め段３７におけるカム作用表面２７ｄに接して更なる移動を停止する。
【００６０】
上記のさらなる戻り止め段３７は、カム作用表面２７ｄの角度を逆にすることによって備えられる。上記のさらなる戻り止め段３７におけるカム作用表面２７ｄは、注射器１の長軸Ｘに対して少なくとも実質的に平行に延びている。このような方法で、カム作用表面２７ｃと２７ｄは、移動するカム従動子２５が受け入れられ一時的に収納されてカム２４とカム従動子２５との間でのさらなる相関移動を阻止する角度を規定する。
【００６１】
ある一つの配置（図示されていない）において、一回量引き入れカム作用段３４と一回量排出カム作用段３５は、戻り止め段３６を間にして互いに隣接して配置されている。この配列において、プランジャー１４の連続した移動により、針１３を介して一回量の液体を本体の液室４内に引き入れ、次いでその一回量を排出する。
【００６２】
しかしながら、別の配置においては（図５と６とを特に参照して示されているように）、制御手段２２は、一回量の引き入れと排出の間に、プランジャー１４の一回以上の補助的な移動を可能にすることが出来る。例としてあげると、これらの移動は、一回量の引き入れ後に空気を針１３から排出するため、及び、一回量を静脈に排出する前に、その静脈から血液を針１３中に引き入れるためであってよい。一つの好適な配置において（図示されているような）、両方の移動は共に制御手段２２によって提供される。
【００６３】
そのために、この別の配置においては、制御カム２４は、空気排出カム作用段３８と採血カム作用段３９をそれぞれ含んでいる。
【００６４】
この形式において、空気排出と採血のカム作用段３８と３９は、一回量引き入れと排出のカム作用段３４と３５の間に連続して配置されている。特に、空気排出カム作用段３８は、一回量引き入れカム作用段３４の末端に隣接する戻り止め段３６と連続し、また、採血カム作用段３９は一回量排出カム作用段３５より前にある。
【００６５】
空気排出及び採血のカム作用段３８と３９は、それぞれ、ケーシング２に対する注射器本体３の実質的に長手方向の移動を阻止するが、一回量引き入れと排出のカム作用段３４と３５と同様に、本体３の回転を許容する。これらの移動の間に、プランジャー１４は針１３から空気を排出して静脈から針１３内に採血することが出来る。これらの移動もまた、それぞれ図５と６に示されているように、プランジャー１４の最初の移動の間に起こりそして完結することが出来る。
【００６６】
本体３とケーシング２の相関移動を達成するために、空気排出及び採血のカム作用段３８、３９のカム作用表面２７ｅ、２７ｆは、注射器１の長軸Ｘに対してある角度をなして延びている。このような方法で、カム従動子２５との係合は本体３を強制的に長軸Ｘの周りを回転させる。
【００６７】
カム２４とカム従動子２５の相関移動を、空気排出及び採血がそれぞれ完結するまで、それぞれのカム作用段３８、３９までにとどめるために、制御カム２４は、空気排出および採血のカム作用段３８、３９の末端に隣接する追加の戻り止め段４０、４１を含んでいる。それらの戻り止め段４０、４１は、一回量引き入れ及び排出のカム作用段３４、３５の末端に隣接した戻り止め段３６、３７と同様の全般的形態を持ち、それぞれのカム作用表面２７ｇと２７ｈを有する。
【００６８】
制御カム２４はさらに使用不能化カム作用段４２を含む。その段４２は一回量排出カム作用段３５と続いている。特に、使用不能化カム作用段４２は、一回量排出カム作用段３５の末端に隣接するさらなる戻り止め段３７からカム作用溝または溝穴２９の出口末端３３まで延びている。カム従動子２５が上記使用不能化段４２に沿って移動すると、図面の図７及び８に連続して示されているように、使用不能化位置から使用不可能位置への本体３の移動を引き起こす。
【００６９】
使用不能化段４２は、本体３のケーシング２と相関した長手方向の移動及び針１３のケーシング２内への引き込みを可能にする。そのために、使用不能化段４２のカム作用表面２７ｉは少なくとも概ね注射器１の長手方向に延びうるが、ただし、別法として注射器１の長軸Ｘに対して角度をなすことも出来る。いずれにせよ、カム従動子２５がカム作用溝または溝穴２９から出るようにさせて、ケーシング２に対して長手方向の移動が出来るように本体３を解放する。
【００７０】
ある一つの態様において（図示されていない）、注射器１は、最初、使用可能位置に、即ち、本体３をケーシング２の前端７に向けた位置で準備される。その配置において、針１３はケーシング２から突出することになる。
【００７１】
しかしながら、別の態様においては（図表の図１に示されているように）、注射器１は、本体３がケーシング２の前端７から離れて配置され、針１３が引き込まれてケーシング２内に収納された状態で供給される。その配置は針１３の損傷または誤用を防止する。その可用化位置においては、本体３はケーシング２の前端７に向かって移動して注射器１が使用可能位置にくるようにされる必要がある（図の図３から６）。
【００７２】
この別の態様においては、制御カム２４はさらに可用化カム作用段４３を含む。そのカム作用段４３は、一回量汲み上げカム作用段３４より前にあり、カム作用溝または溝穴２９の入り口末端３２から一回量制御カム作用段３４に向かって延びている。
【００７３】
制御カム２４の入り口末端３２は、本体３が可用化位置にあって注射器１が使用可能にされる以前には、カム従動子２５とともに長手方向に一列に並んでいる。このような方法で、本体３を係合させるためにケーシング２の前端７に向かって長手方向に移動させると、カム従動子２５は、可用化カム作用段４３に入り、それに沿って動かされる。ケーシング２に対する本体３の移動は、プランジャーの柄１６に前方向に力を加えることによって引き起こされる。プランジャーのピストン１５と注射器本体３の内表面２０との間の摩擦を伴う係合ならびにプランジャーのピストン１５と本体３の前端１１間の接触によって本体３の移動を確実にする。
【００７４】
カム２４の可用化カム作用段４３のカム作用表面２７ｉは、注射器１の長軸Ｘに対してある角度で延びている。この方法によって、カム従動子２５との係合により、本体３は強制的に長軸Ｘのまわりを回転させられる。カム２４とカム従動子２５間の相関移動の結果、カム従動子２５は、カム作用溝または溝穴２９の入り口末端３２と整列した状態から動いて一回量引き入れカム作用段３４の方向へ移動する。この移動は、図の図１および３に連続して示されている。
【００７５】
図３に示されている使用可能位置において、プランジャーのピストン１５は注射器３の前端１１に近接している。可用化カム作用段４３にあるカム２４とカム従動子２５間の相関移動を、プランジャーのピストン１５がその位置にあるまで制限するために、制御カム２４は、可用化カム作用段４３の末端に隣接する他の戻り止め段４４を含む。このように、上記の他の戻り止め段４４は、可用化段４３と一回量制御カム作用段３４との間に配置されている。上記の他の戻り止め段４４はカム作用表面２７ｋを有し、前述の戻り止め段３６、３７、４０と４１と同様の全般的構成と機能を有する。
【００７６】
図示されているように、カム作用溝または溝穴２９は一般にジグザグ形態をしている。この形態では、制御カム２４の複数の段は、戻り止め段３６、３７、４０、４１、４４、カム作用段３４、３５，３８，３９、４２，４３として、溝または溝穴２９の頂点の相反する側に配置されている。
【００７７】
本体３の後方へ向かう長手方向の移動は、注射針１３のケーシング２内への引き込みを起こし、プランジャー１４の手動による逆移動によって達成することが出来る。そのためには、注射器１の使用者がプランジャーの柄１６をつかんで後方に引けばよい。
【００７８】
しかしながら、図示されているように、本体の使用不能化位置から使用不可能位置への移動は自動的に起こり得る。即ち、注射器１の使用後、使用者が単にプランジャーの柄１６から前方への押す力を除けば、手動でプランジャーの柄１６を後方に引かなくても本体３は自動的に後方に移動する。
【００７９】
その本体の移動は、本体３に作用する付勢手段４５によって引き起こされて、使用不能化位置にある場合、本体３を後方に滑らせて動かす。その付勢手段４５は本体３とケーシング２の間に延びている。
【００８０】
上記付勢手段４５は弾力のある付勢部材４６を含む。一つの形式において（図示されていない）、上記付勢部材４６は本体３とケーシング２との間に延びてこれらに連結された弾力のある細長い断片またはバンドである。上記の細長い断片またはバンドは、本体３がその使用不能化位置にある場合は弾性をもって伸びて、注射器使用後、プランジャー１４の解放に伴い、本体３を後方にその使用不可能位置へ引っぱり入れるように作用する。上記の細長い断片またはバンドは、後端８、１２に、またはそれらに近接して注射器本体３及びケーシング２に連結することが出来る。
【００８１】
もう一つの形式においては（図示されているように）、付勢部材４６は本体３とケーシング２との間であって、それらの前端７、１１に設置された圧縮バネ４７である。上記バネ４７は、本体３がその使用可能位置にある場合、及び、本体３がその使用不能化位置へと回転される間は圧縮されている。しかしながら、上記使用不能化位置においては、カム２４とカム従動子２５とは、もはや本体３を長手方向に逆らうように拘束することはせず、圧縮バネ４７は本体３をケーシング２に沿ってその使用不可能位置へと付勢するように作用する。図示されているように、圧縮バネ４７は螺旋状に巻かれたバネである。
【００８２】
当然のことながら、付勢部材４６はまた注射器１の使用中に作用して本体３をケーシング２の後端８の方向に付勢する。その付勢は、例えば一回量の液体を採取する間、本体３をケーシング２の前端７の方向に付勢するという具合に、プランジャー１４に一定期間手で力を加えることで克服される。これらの軸方向に付勢する力の結果、カム従動子２５とカム作用表面２７ａ〜２７ｋ間の係合を引き起こし、それによって従動子２５は引き続いて軸方向に整列される。これらの力は、また、カム作用段３４、３５、３８、３９、４２、４３において互いに係合している従動子２５とカム２４間に相関移動を引き起こし、順次、ケーシング２に対する本体３の指示された移動を達成する。上記の相互係合は、従動子２５がカム作用溝または溝穴２９の出口末端３３と一直線に並ぶまで継続し、そこで、従動子２５は、付勢部材４６による付勢を受けて、上記溝または溝穴２９から自由に解放されて本体３は使用不可能位置に移動する。
【００８３】
引き込まれた針１３はケーシング２の外への再延出を阻止されてもよい。針１３の再延出を阻止することは、注射器１が、不注意な投棄によるような怪我の元になる可能性を最小限に止める。
【００８４】
図示されてはいないが、針１３の再延出は、ケーシングの前端７において、針１３と連通穴９との軸方向にずらして設置することによって阻止してもよい。ずらす程度は、注射器１の使用中は、針１３は連通穴９を通じて延出するが、一旦、ケーシング２内に引き込まれると、上記連通穴９とずれてプランジャー１４に対して前方への力を加えても針１３が連通穴９を抜けて戻ることが出来ないように選ぶ。事実、上記の力は針１３の遊離先端をケーシングの前端７に押し付け、恐らくはその中に埋め込ませてしまい、針１３の有用性を破壊する。
【００８５】
別法として（図示されているように）、使用不可能位置にある場合、針１３の再延出は、更なる前方への移動を阻止するように本体３に作用する固定手段４９によって防止される。上記固定手段４９は注射器本体３とケーシング２の間で作用する。
【００８６】
上記固定手段４９は、少なくとも一つの固定要素５０を注射器本体３とケーシング２にそれぞれ有し、上記固定要素５０は、本体が使用不可能位置内に移動した場合、互いに係合して本体３のさらなる移動を阻止する。
【００８７】
上記固定要素５０は固定用の歯状突起５１である。それらの固定用の歯状突起５１は、本体３及びケーシング２の後端８、１２に、或いはそれらに近接して配置されている。単一の歯状突起５１が本体３及びケーシング２に備えられてもよいが、一方、図示されているように、複数の歯状突起５１がラチェット形成で本体３及びケーシング２のうち少なくとも一つに備えられてもよい。
【００８８】
本発明の注射器はただ一回の適切な使用に限定されている。注射器の再使用は効果的に阻止されている。その上、その使用後、注射器は使用者によって、或いは、ある一形式においては自動的に容易に危険でなくされ得る。その結果、本注射器は再使用または誤用、或いは怪我によって病気の伝播を引き起こす可能性が低い。
【００８９】
最後に、当然のことながら、本注射器には、本発明に付加された特許請求に規定されているように、その範囲から逸脱することなく種々の変更、改変、及び或いは付加をしてもよい。
【図面の簡単な説明】
【００９０】
【図１】本発明の実施の形態に従った皮下注射器の斜視図であって、使用可能化位置にある一部断面の注射器を示す。
【図２】図１の注射器の本体の斜視図である。
【図３】図１の注射器の長手方向の横断側面図であって、使用可能位置に移動された注射器を示す。
【図４】注射器の一部を示す、図３に類似の側面図であるが、使用可能位置にある注射器と一回量の液体を保持する液室を示している。
【図５】図４に類似の側面図であるが、使用可能位置にある注射器と空気が注射針から排出されたことを示している。
【図６】図５に類似の側面図であるが、使用可能位置にある注射器と血液が静脈から注射針内に採取されたことを示している。
【図７】図６に類似の側面図であるが、液室から一回量が排出された後の注射器で、使用不能化位置にある注射器を示している。
【図８】一部断面の図１の注射器の斜視図であるが、使用不可能位置にある注射器を示している。
【図１】
2006523107.tif 000003
【図２】
2006523107.tif 000004
【図３】
2006523107.tif 000005
【図４】
2006523107.tif 000006
【図５】
2006523107.tif 000007
【図６】
2006523107.tif 000008
【図７】
2006523107.tif 000009
【図８】
2006523107.tif 000010
【国際調査報告】
2006523107.tif 000011
2006523107.tif 000012
2006523107.tif 000013